(57)【要約】【課題】親機に呼出しエリアを自動的に割当てる。【解決手段】制御プログラムは、呼出しエリア(66,67,70)を識別するエリア識別情報の割当て要求を親機(390)から受信すると、記憶部(204)に記憶された、他の親機(362-366,382-386)に割当てられた、アドレス(図8,YYY...Y.YYY)とエリア識別情報(0002)とを関連付けた情報と、受信した要求を送信した親機(390)のアドレス(YYY...Y.ZZZ)とに基づいて、要求を送信した親機のアドレスと相関性のあるアドレス(YYY...Y.YYY)と関連付けて記憶部に記憶されたエリア識別情報(0002)を、要求を送信した親機に割当てる処理をコンピュータに実行させる。【選択図】図６Ａ
2015188182.tif 000002
【特許請求の範囲】
【請求項１】
呼出しエリアを識別するエリア識別情報の割当て要求を親機から受信すると、記憶部に記憶された、他の親機に割当てられた、アドレスとエリア識別情報とを関連付けた情報と、受信した前記要求を送信した親機のアドレスとに基づいて、前記要求を送信した親機のアドレスと相関性のあるアドレスと関連付けて前記記憶部に記憶されたエリア識別情報を、前記要求を送信した親機に割当てる処理を、コンピュータに実行させるための制御プログラム。
【請求項２】
前記要求を送信した親機のアドレスと相関性のあるアドレスが前記記憶部に記憶されていない場合、別のエリア識別情報を、前記要求を送信した親機に割当てる処理を前記コンピュータに実行させることを特徴とする、請求項１に記載の制御プログラム。
【請求項３】
前記要求を送信した親機のアドレスと相関性のあるアドレスと関連付けて前記記憶部に記憶されたエリア識別情報に関連して登録された親機の数が閾値に達していた場合、別のエリア識別情報を、前記要求を送信した親機に割当てる処理を前記コンピュータに実行させることを特徴とする、請求項１または２に記載の制御プログラム。
【請求項４】
呼出しエリアを識別するエリア識別情報の割当て要求を親機から受信する第１の処理部と、
記憶部に記憶された、他の親機に割当てられた、アドレスとエリア識別情報とを関連付けた情報と、受信した前記要求を送信した親機のアドレスとに基づいて、前記要求を送信した親機のアドレスと相関性のあるアドレスと関連付けて前記記憶部に記憶されたエリア識別情報を、前記要求を送信した親機に割当てる第２の処理部と、
を含む、制御装置。
【請求項５】
呼出しエリアを識別するエリア識別情報の割当て要求を親機から受信すると、記憶部に記憶された、他の親機に割当てられた、アドレスとエリア識別情報とを関連付けた情報と、受信した前記要求を送信した親機のアドレスとに基づいて、前記要求を送信した親機のアドレスと相関性のあるアドレスと関連付けて前記記憶部に記憶されたエリア識別情報を、前記要求を送信した親機に割当てる処理を、コンピュータが実行する制御方法。
【発明の詳細な説明】
【技術分野】
【０００１】
本発明は、呼出しエリア識別情報の割当てに関する。
【背景技術】
【０００２】
例えば無線内線電話システムでは、管理者によって、子機としての携帯端末と通信する親機としての無線基地局に対して呼出しエリアが割当てられる。
【０００３】
関連する技術として、例えば特開２００５−１５１４７８号公報に記載された構内交換システムに関する技術が存在する。
【先行技術文献】
【特許文献】
【０００４】
【特許文献１】特開２００５−１５１４７８号公報
【発明の概要】
【発明が解決しようとする課題】
【０００５】
内線電話システムにおいて、通常、管理者が親機または無線基地局に呼出しエリアを割当てるので、例えば親機の呼出しエリア番号等の情報を誤って登録する可能性がある。しかし、管理者は、親機が使用されて障害の連絡を受けるまで、その誤りに気づかないことがあり、誤った登録情報が訂正されるまで、本来の呼出しエリアでの子機への着信不可能状態や、誤ったエリアでの不必要なトラフィック増大などが生じることがある。
【０００６】
発明者たちは、親機または無線基地局に呼出しエリアを自動的に割当てるようにすることが望ましい、と認識した。
【０００７】
１つの観点では、本発明の目的は、親機に呼出しエリアを自動的に割当てることができるようにすることである。
【課題を解決するための手段】
【０００８】
本発明の一態様によれば、呼出しエリアを識別するエリア識別情報の割当て要求を親機から受信すると、記憶部に記憶された、他の親機に割当てられた、アドレスとエリア識別情報とを関連付けた情報と、受信した要求を送信した親機のアドレスとに基づいて、要求を送信した親機のアドレスと相関性のあるアドレスと関連付けて記憶部に記憶されたエリア識別情報を、要求を送信した親機に割当てる処理を、コンピュータに実行させるための制御プログラムが提供される。
【発明の効果】
【０００９】
本発明の一態様によれば、親機に呼出しエリアを自動的に割当てることができる。
【図面の簡単な説明】
【００１０】
【図１】図１は、実施形態による、ネットワークに接続された、構内交換機（ＰＢＸ）、一群の無線の基地局装置、および別の一群の無線の基地局装置を含む内線電話システムの概略的構成の例を示している。
【図２】図２は、実施形態による、ネットワークに接続された、構内交換機、および一群の無線の基地局装置を含む内線システムの概略的構成の別の例を示している。
【図３】図３は、実施形態による、ネットワークに接続された、構内交換機、一群の無線の基地局装置、および別の一群の無線の基地局装置を含む内線電話システムの概略的構成のさらに別の例を示している。
【図４】図４は、構内交換機の概略的な構成（configuration）の例を示している。
【図５】図５は、構内交換機のプロセッサの概略的な構成（configuration）の例を示している。
【図６Ａ】図６Ａおよび６Ｂは、プロセッサまたはそのエリア割当て部によって実行される、エリア番号を決定する処理のためのフローチャートの例を示している。
【図６Ｂ】(図6Aで説明)
【図７】図７は、基地局データ・テーブルの例を示している。
【図８】図８は、変更された基地局データ・テーブルの例を示している。
【発明を実施するための形態】
【００１１】
発明の目的および利点は、請求の範囲に具体的に記載された構成要素および組み合わせによって実現され達成される。
前述の一般的な説明および以下の詳細な説明は、典型例および説明のためのものであって、本発明を限定するためのものではない、と理解される。
【００１２】
本発明の非限定的な実施形態を、図面を参照して説明する。図面において、同様のコンポーネントおよび要素には同じ参照番号が付されている。
【００１３】
イントラネットに接続された構内交換機は、イントラネット上に接続された親機または無線基地局（アクセスポイント）を介して、内線の子機または携帯端末と、内線または外線の固定電話機または携帯端末との間に呼を設定して通話路を形成することができる。また、可搬型の親機が呼出しエリア番号と共に予め登録されたイントラネットに接続されると、子機は、その親機を介しイントラネットおよび構内交換機を介して、内線または外線の固定電話機または携帯端末と電話通信することができる。
【００１４】
通常、管理者（人）が、親機に内線の呼出しエリア番号を割当てて、構内交換機に親機の識別情報および呼出しエリア番号を登録するので、例えば親機の呼出しエリア番号等の情報を誤って登録する可能性がある。例えば、同じ呼出しエリア番号は、同じ呼出しエリアにおいて特定の上限数までの親機に割当てることができるが、異なる呼出しエリアに割当てることができない。しかし、管理者は、親機の数が既に上限数に達している呼出しエリア番号を別の親機に誤って割当てたり、または或る領域の親機で使用されている呼出しエリア番号を、別の領域で使用される親機に誤って割当てたりする可能性がある。この場合、登録情報が訂正されるまでの間、本来の呼出しエリアにおける子機への着信が不可能な状態や、誤った呼出しエリアでの不必要なトラフィック増大などが生じることがある。しかし、管理者は、親機が使用されてその使用者から障害の連絡を受けるまで、その誤りに気づかないことがある。
【００１５】
発明者たちは、構内交換機において、親機または無線基地局に呼出しエリアを自動的に割当てることが望ましい、と認識した。
【００１６】
実施形態の目的は、構内交換機において、親機または無線基地局に呼出しエリアを自動的に割当てることができるようにすることである。この目的は、実施形態によって達成することができる。
【００１７】
図１は、実施形態による、ネットワーク１に接続された、構内交換機（ＰＢＸ）２０、一群の無線の基地局装置３２２、３２４、３２６、および別の一群の無線の基地局装置３６２〜３６６を含む内線電話システムの概略的構成の例を示している。
【００１８】
ネットワーク１は、部分ネットワーク３、５４および５６等を含んでいる。部分ネットワーク３、５４および５６は、それぞれのルータ１５、１６、１７を介して互いに接続されている。ネットワーク１は、インターネット・プロトコル（ＩＰ）に準拠したイントラネットであり、例えばインターネットのような外部ネットワークを介して構築されてもよい。部分ネットワーク３、５４、５６は、例えば異なる場所に設置された、イントラネットのサブネットであってもよい。構内交換機（ＰＢＸ）２０は部分ネットワーク３に接続されている。また、一群の無線の基地局装置３２２〜３２６は部分ネットワーク５４に接続されている。また、別の一群の無線の基地局装置３６２〜３６６は部分ネットワーク５６に接続されている。
【００１９】
部分ネットワーク５４上の基地局装置３２２〜３２６、およびルータ１６のポートは、同じサブネットのネットワーク・アドレス（例えば、上位の１５０．１０．２．）を含むそれぞれのＩＰアドレスが割当てられている。また、部分ネットワーク５６上の基地局装置３６２〜３６６、およびルータ１７のポートは、別の同じサブネットのネットワーク・アドレス（例えば、上位の１５０．１０．４．）を含むそれぞれのＩＰアドレスが割当てられている。ここで、サブネットのネットワーク・アドレスまたはアドレスは、部分ネットワーク３、５４および５６に関するＩＰアドレスのネットワーク部およびサブネット部を表していてもよい。基地局装置３２２〜３２６、３６２〜３６６およびルータ１６、１７のポートの識別情報は、ＩＰアドレスと共に構内交換機２０に予め登録されている。
【００２０】
構内交換機２０は、内線電話網５、部分ネットワーク５４、５６上の基地局装置３２２〜３２６、３６２〜３６６、および公衆交換電話網（ＰＳＴＮ）７を介して、電話通信のための呼の設定および通話路の形成を行う。構内交換機２０において、基地局装置３２２〜３２６には、部分ネットワーク５４に関連付けられた破線で囲まれた呼出しエリア６４が割当てられている。また、構内交換機２０において、基地局装置３６２〜３６６には、部分ネットワーク５６に関連付けられた破線で囲まれた別の呼出しエリア６６が割当てられている。
【００２１】
子機としての携帯端末４２０、４２９が、呼出しエリア６４内で基地局装置３２２〜３２６を介して、同じまたは他の呼出しエリア６４、６６内の携帯端末、内線電話網５上の固定電話機、または公衆交換電話網７上の電話機（図示せず）との間で電話通信を行う。また、子機としての携帯端末４６０が、呼出しエリア６６内で基地局装置３６２〜３６６を介して、同じまたは他の呼出しエリア６６、６４内の携帯端末、内線電話網５上の固定電話機、または公衆交換電話網７上の電話機との間で電話通信を行う。基地局装置３２２〜３２６、３６２〜３６６の各々は、特定の上限数（例えば、３）までの携帯端末を接続処理またはカバーすることができる。
【００２２】
図４は、構内交換機２０の概略的な構成（configuration）の例を示している。
【００２３】
構内交換機２０は、コンピュータであってもよく、例えば、通話路設定のためのスイッチ部２６、プロセッサ２０２、記憶部２０４、通信部２１０、および入出力インタフェース（Ｉ／Ｏ）２２０を含んでいる。入出力インタフェース（Ｉ／Ｏ）２２０には、入力部２２２および表示部２２４が接続される。構内交換機２０は、外付けのドライブ３３２に接続可能である。
【００２４】
プロセッサ２０２は、コンピュータ用のＣＰＵ（Central Processing Unit）であってもよい。記憶部２０４は、主記憶装置および補助記憶装置を含んでいる。主記憶装置は、半導体メモリ等の記憶装置を含んでいる。補助記憶装置は、例えば、ハードディスク・ドライブ（ＨＤＤ）、および／または、フラッシュ・メモリのような半導体メモリを含んでいる。ドライブ３３２は、ソフトウェアが記録された例えば光ディスクまたは磁気ディスクのような記録媒体３３４を読み取るためのものであってもよい。そのソフトウェアは、例えば、ＯＳ、データベース管理システム（ＤＢＭＳ）、アプリケーション・プログラム、等を含んでいてもよい。アプリケーション・プログラムは、呼出しエリア割当て用のアプリケーションを含んでいてもよい。
【００２５】
プロセッサ２０２は、例えば集積回路として実装された専用のプロセッサであってもよい。また、プロセッサ２０２は、記憶部２０４に格納されたアプリケーション・プログラムに従って動作するものであってもよい。アプリケーション・プログラムは、記録媒体３３４に格納されていて、ドライブ３３２によって記録媒体３３４から読み出されて構内交換機２０にインストールされてもよい。
【００２６】
入力部２２２は、例えば、複数のキー、タッチパッド、テンキー、キーボード、タッチパネル、および／またはポインティング・デバイスを含んでいてもよい。表示部２２４は、例えば、液晶表示装置、またはタッチパネル付き液晶表示装置であってもよい。
【００２７】
図５は、構内交換機２０のプロセッサ２０２の概略的な構成（configuration）の例を示している。
【００２８】
プロセッサ２０２は、制御部２０２０、アプリケーション部２０２４、エリア割当て部２２、およびその他の処理部２０５０を含んでいる。エリア割当て部２２は、登録受付部２０３０、エリア決定部２０３２、および基地局データ設定部２０３４を含んでいる。制御部２０２０は、アプリケーション部２０２４、エリア割当て部２２、および処理部２０５０に制御信号を供給して、これらの要素の動作を制御してもよい。エリア割当て部２２は、プロセッサ２０２とは別個のエリア割当て制御装置として形成されてもよい。
【００２９】
記憶部２０４には、基地局データ・テーブルが格納される。基地局データ・テーブルは、各基地局の、登録された基地局識別情報（ＩＤまたはエイリアス）、割当てられた呼出しエリア番号または識別情報、およびＩＰアドレスの各フィールドを含んでいる。ここで、基地局データ・テーブルには、ＩＰアドレスに代えて、ＩＰアドレスにおけるネットワーク・アドレス（ネットワーク・アドレス部）、サブネット・アドレス（サブネット・アドレス部）のいずれかまたは双方が格納されてもよい。以下の説明では、ネットワーク・アドレスとサブネット・アドレスを含む情報をサブネットのアドレスと称する。呼出しエリア番号は、例えば、“００００１”、“００００２”、“００００Ａ”、“００００Ｂ”のような値であってもよい。
【００３０】
登録受付部２０３０は、部分ネットワーク５４、５６等に新たに接続された可搬型の基地局装置３９０等からの登録を受け付ける。エリア決定部２０３２は、部分ネットワーク５６等に接続された基地局装置３９０等に呼出しエリア番号を割当てる。基地局データ設定部２０３４は、部分ネットワーク５６等に接続された基地局装置３９０と交信して、構内交換機２０（の記憶部２０４）に基地局装置３９０等の基地局データを登録または設定する。
【００３１】
一方、使用されていない可搬型の基地局装置３９０の仮登録情報が、仮の呼出しエリア番号かまたはエリア未割当て情報と共に、構内交換機２０の記憶部２０４の基地局データ・テーブルに保存されていてもよい。
【００３２】
図７は、基地局データ・テーブルの例を示している。
【００３３】
図７の基地局データ・テーブルには、例えば、活動状態にある基地局装置の、基地局識別情報“００００Ａ”〜“００００Ｄ”、呼出しエリア番号又は識別情報“００００１”〜“００００３”、ＩＰアドレス“ＸＸＸ．ＸＸＸ．ＸＸＸ．ＸＸＸ”等が登録されている。一方、基地局データ・テーブルには、未使用または非活動状態にある基地局装置（３９０）の、基地局識別情報“０００Ｆ１”〜“０００Ｆ３”および仮の呼出しエリア番号“９０００１”〜“９０００３”が仮登録されていてもよい。この場合、使用されていない基地局装置基地局データ・テーブルＩＰアドレスは空欄である。また、仮の呼出しエリア番号の代わりに、呼出しエリア番号が未割当てであることを表す情報、または、呼出しエリア番号の割当てが可能であることを表す特定の番号または情報が用いられてもよい。
【００３４】
一方、携帯端末４２０、４２９は、呼出しエリア６４内に位置する場合、呼出しエリア６４内に位置するものとして、基地局装置３２２〜３２６等を介して構内交換機２０によって検出されて登録される。
【００３５】
次は、構内交換機２０による、携帯端末４２９への着信または携帯端末４２９からの発信に関する接続動作について説明する。
【００３６】
構内交換機２０が、例えば、呼出しエリア６４内の携帯端末４２９に対する、呼出しエリア６４または６６内にある携帯端末（４２０、４６０）からの発信または発呼を検出したとする。この場合、構内交換機２０は、呼出しエリア６４内の基地局装置３２２〜３２６を介して着信または呼出し信号を携帯端末４２９に送信する。構内交換機２０は、例えば、内線電話網５または公衆交換電話網７上の電話機または携帯端末からの、呼出しエリア６４内の携帯端末４２９に対する着信を検出した場合にも、同様に動作する。次いで、携帯端末４２９が着信信号を受信したとき、携帯端末４２９の利用者は携帯端末４２９を呼設定操作することができる。基地局装置３２６を介した呼設定操作の検出に応答して、構内交換機２０は、基地局装置３２６を介して発信側の電話機または携帯端末（４２０、４６０）と着信側の携帯端末４２９との間に呼または通話路を設定する。
【００３７】
また、例えば、携帯端末４２９の利用者が呼出しエリア６４内で携帯端末４２９を操作して発信させると、構内交換機２０は、呼出しエリア６４内の基地局装置３２６を介して携帯端末４２９の発信または発呼信号を検出する。この場合、構内交換機２０は、直接的または他の交換機を介して間接的に、呼出しエリア６４または６６内にある、または内線電話網５もしくは公衆交換電話網７上にある着信側の電話機または携帯端末に着信または呼出し信号を送信する。次いで、着信側の電話機または携帯端末における着信操作の検出に応答して、構内交換機２０は、基地局装置３２６を介して発信側の携帯端末４２９と着信側の電話機または携帯端末との間に呼または通話路を設定する。
【００３８】
次は、利用者が、仮登録されたまたは未登録の基地局装置３９０を移動先の部分ネットワーク５６に接続した場合に、構内交換機２０において基地局装置３９０がどのように登録されて使用可能になるかについて説明する。
【００３９】
携帯端末４２９の利用者は、可搬型の基地局装置３９０を管理者から受け取って、呼出しエリア６４から部分ネットワーク５６が設置された移動先または出張先の領域に移動して、部分ネットワーク５６に基地局装置３９０を接続することができる（破線）。構内交換機２０は、部分ネットワーク５６に接続された基地局装置３９０の存在を検出したとき、基地局装置３９０に対して、他の基地局装置３６２等に割当てられている呼出しエリア６６を割当ててもよい。
【００４０】
図８は、変更された基地局データ・テーブルの例を示している。
【００４１】
構内交換機２０において、プロセッサ２０２のエリア割当て部２２は、例えば、部分ネットワーク５６に接続された基地局装置３９０の基地局識別情報“０００Ｆ１”のＩＰアドレス中のサブネットのアドレス“ＹＹＹ．ＹＹＹ．ＹＹＹ”（破線）を識別する。次いで、エリア割当て部２２は、例えば、図８の基地局データ・テーブルにおいて、基地局装置３９０のサブネットのアドレス“ＹＹＹ．ＹＹＹ．ＹＹＹ”と同じサブネットのアドレス（破線）を含むＩＰアドレスを有する他の基地局識別情報“００００Ｃ”を識別する。次いで、エリア割当て部２２は、同じサブネットのアドレス“ＹＹＹ．ＹＹＹ．ＹＹＹ”を含むＩＰアドレスを有する基地局識別情報の呼出しエリア番号“００００２”が割当てられた基地局装置の数が、特定の上限数に達していないかどうかを確認する。同じ呼出しエリア番号“００００２”が割当てられた基地局装置の数が特定の上限数（例えば、３２）に達していない場合、エリア割当て部２２は、同じ呼出しエリア番号“００００２”を基地局装置３９０に追加的に割当てる。
【００４２】
このようにして、携帯端末４２９は、呼出しエリア６６内で基地局装置３９０を介して、呼出しエリア６６、６４内の携帯端末、内線電話網５上の固定電話機、または公衆交換電話網７上の電話機との間で電話通信を行うことができるようになる。
【００４３】
一方、部分ネットワーク５６の、または基地局装置３９０に割当てられたＩＰアドレスのサブネットのアドレスが、構内交換機２０（記憶部２０４）に登録されておらず、呼出しエリアの割当ての対象外であることがある。この場合、エリア割当て部２２は基地局装置３９０に呼出しエリアを割当てない。或る領域の部分ネットワークは、基地局装置の接続の対象外であることがある。
【００４４】
図２は、実施形態による、ネットワーク１に接続された、構内交換機２０、および一群の無線の基地局装置３２２〜３２６を含む内線システムの概略的構成の別の例を示している。ネットワーク１は、部分ネットワーク３、５４および５７等を含んでいる。部分ネットワーク３、５４および５７は、それぞれのルータ１５、１６、１８を介して互いに接続されている。
【００４５】
図２において、最初、部分ネットワーク５７には無線の基地局装置が全く接続されていないものとする。構内交換機２０および基地局装置３２２〜３２６は、図１の場合と同様の形態で接続されている。部分ネットワーク５７は、インターネット・プロトコル（ＩＰ）に準拠しており、ルータ１８等を介して部分ネットワーク３に接続されている。この場合、部分ネットワーク５７において割当てられるＩＰアドレスのサブネットのアドレスは、構内交換機２０（記憶部２０４）に予め登録されて記憶部２０４に保存されているものとする。
【００４６】
携帯端末４２９は、最初、基地局装置３２６を介して、呼出しエリア６４内に位置するものとして構内交換機２０に登録されているものとする。
【００４７】
次は、利用者が、仮登録されたまたは未登録の基地局装置３９０を移動先の部分ネットワーク５７に接続した場合に、構内交換機２０において基地局装置３９０がどのように登録されて使用可能になるかについて説明する。
【００４８】
その後、携帯端末４２９の利用者は、可搬型の基地局装置３９０を管理者から受け取って、呼出しエリア６４から部分ネットワーク５７が設置された移動先または出張先の領域に移動して、部分ネットワーク５７に基地局装置３９０を接続することができる（破線）。構内交換機２０は、部分ネットワーク５７に接続された基地局装置３９０の存在を検出したとき、基地局装置３９０に対して、新しい呼出しエリア６７を割当ててもよい。
【００４９】
構内交換機２０において、プロセッサ２０２のエリア割当て部２２は、例えば、部分ネットワーク５７に接続された基地局装置３９０の基地局識別情報“０００Ｆ２”のＩＰアドレスのサブネットのアドレス“ＹＹＹ．ＹＹＹ．ＺＺＺ”（破線）を識別する。次いで、エリア割当て部２２は、図８の基地局データ・テーブルにおいて、記憶部２０４に保存されたサブネットのアドレス“ＹＹＹ．ＹＹＹ．ＺＺＺ”と同じサブネットのアドレス（破線）を含むＩＰアドレスを有する他の基地局識別情報が存在しないことを確認する。次いで、エリア割当て部２２は、記憶部２０４において、サブネットのアドレス“ＹＹＹ．ＹＹＹ．ＺＺＺ”が、利用可能な部分ネットワーク５７におけるＩＰアドレスのサブネットのアドレスとして登録されていることを確認する。次いで、エリア割当て部２２は、基地局装置３９０の基地局識別情報“０００Ｆ２”に対して、図８の基地局データ・テーブル中にない新しい呼出しエリア番号“０００３１”を割当てる。
【００５０】
このようにして、携帯端末４２９は、呼出しエリア６７内で基地局装置３９０を介して、呼出しエリア６４内の携帯端末、内線電話網５上の固定電話機、または公衆交換電話網７上の電話機との間で電話通信を行うことができるようになる。
【００５１】
図３は、実施形態による、ネットワーク１に接続された、構内交換機２０、一群の無線の基地局装置３２２、３２４、３２６、および別の一群の無線の基地局装置３６２〜３６６を含む内線電話システムの概略的構成のさらに別の例を示している。部分ネットワーク３、５４および５６は、それぞれのルータ１５、１６、１９を介して互いに接続されている。
【００５２】
図３において、構内交換機２０および基地局装置３２２〜３２６は、図１の場合と同様の形態で接続されている。部分ネットワーク５８は、インターネット・プロトコル（ＩＰ）に準拠しており、ルータ１９等を介して部分ネットワーク３に接続されている。この場合、部分ネットワーク５８において割当てられるＩＰアドレスのサブネットのアドレスは、構内交換機２０に予め登録されて記憶部２０４に保存されているものとする。また、この場合、基地局装置３６２〜３６６の数は、１つの呼出しエリアにおける基地局装置の数の上限に達しているものとする。
【００５３】
携帯端末４２９は、最初、基地局装置３２６を介して、呼出しエリア６４内に位置するものとして構内交換機２０に登録されているものとする。
【００５４】
次は、利用者が、仮登録されたまたは未登録の基地局装置３９０を移動先の部分ネットワーク５８に接続した場合に、構内交換機２０において基地局装置３９０がどのように登録されて使用可能になるかについて説明する。
【００５５】
その後、携帯端末４２９の利用者が、可搬型の基地局装置３９０を管理者から受け取って、呼出しエリア６４から部分ネットワーク５８が設置された移動先または出張先の領域に移動して、部分ネットワーク５８に基地局装置３９０を接続することができる（破線）。構内交換機２０は、部分ネットワーク５８に接続された基地局装置３９０の存在を検出したとき、基地局装置３９０に対して、新しい呼出しエリア７０を割当ててもよい。
【００５６】
例えば、図８において、プロセッサ２０２のエリア割当て部２２は、予め登録された可搬型の基地局装置３９０の基地局識別情報“０００Ｆ３”に対して、他の呼出しエリア番号と異なる呼出しエリア番号“０００３２”を割当てる。
【００５７】
構内交換機２０において、プロセッサ２０２のエリア割当て部２２は、例えば、部分ネットワーク５８に接続された基地局装置３９０の基地局識別情報“０００Ｆ３”のＩＰアドレスのサブネットのアドレス“ＹＹＹ．ＹＹＹ．ＹＹＹ”（破線）を識別する。次いで、エリア割当て部２２は、図８の基地局データ・テーブルにおいて、基地局装置３９０のサブネットのアドレス“ＹＹＹ．ＹＹＹ．ＹＹＹ”と同じサブネットのアドレス（破線）を含むＩＰアドレスを有する他の基地局識別情報“００００Ｃ”を識別する。次いで、エリア割当て部２２は、同じサブネットのアドレス“ＹＹＹ．ＹＹＹ．ＹＹＹ”を含むＩＰアドレスを有する他の基地局識別情報“００００Ｃ”の呼出しエリア番号“００００２”が割当てられた基地局装置の数が、特定の上限数に達していないかどうかを確認する。この場合、同じ呼出しエリア番号“００００２”が割当てられた基地局装置の数が特定の上限数（例えば、３２）に達しているものとする。従って、エリア割当て部２２は、基地局装置３９０の基地局識別情報“０００Ｆ３”に対して、図８の基地局データ・テーブル中にない新しい呼出しエリア番号“０００３２”を割当てる。
【００５８】
このようにして、携帯端末４２９は、呼出しエリア７０内で基地局装置３９０を介して、呼出しエリア６４内の携帯端末、内線電話網５上の固定電話機、または公衆交換電話網７上の電話機との間で電話通信を行うことができるようになる。
【００５９】
次は、エリア割当て部２２において実行される、利用者の移動先の部分ネットワーク５６〜５８に接続された基地局装置３９０の具体的な登録処理の例について説明する。
【００６０】
図６Ａおよび６Ｂは、プロセッサ２０２またはそのエリア割当て部２２によって実行される、呼出しエリア番号を決定する処理のためのフローチャートの例を示している。
【００６１】
基地局装置３９０は、図１〜３の部分ネットワーク５６〜５８に接続されると、部分ネットワーク５６〜５８、３を介して、構内交換機２０に対して、自基地局装置３９０を利用可能な基地局として設定して登録するよう求める登録要求を送信する。登録要求は、呼出しエリアまたは呼出しエリア番号の割当て要求であり、基地局装置３９０の予め登録された基地局識別情報と、部分ネットワーク５６〜５８において割当てられたＩＰアドレスとを含んでいる。ＩＰアドレスは、各部分ネットワーク５６〜５８に固有のサブネットのアドレスを含んでいる。各部分ネットワーク５６〜５８のサブネットのネットワーク・アドレスは、管理者によって、構内交換機２０に予め登録されてその記憶部２０４に保存されている。
【００６２】
図６Ａを参照すると、ステップ５０２において、プロセッサ２０２（またはその登録受付部２０３０）は、部分ネットワーク５６〜５８に接続された基地局装置３９０から、部分ネットワーク３を介して登録要求を受信する。ステップ５０４において、プロセッサ２０２（登録受付部２０３０）は、登録要求を受信したかどうかを判定する。登録要求を受信したと判定された場合は、手順はステップ５０６に進む。登録要求を受信しなかったと判定された場合は、手順はステップ５０２に戻る。登録要求を受信するまで、ステップ５０２〜５０４は繰り返される。
【００６３】
ステップ５０６において、プロセッサ２０２（またはそのエリア決定部２０３２）は、受信した登録要求に含まれている基地局識別情報が、基地局データ・テーブル（図７、８）に登録または格納されたいずれかの基地局識別情報と一致するかどうかを判定する。受信した基地局識別情報が、登録された基地局識別情報と一致しない（Ａ）と判定された場合は、手順はステップ５３０に進む。一方、受信した基地局識別情報が、自動割当ての対象の登録された基地局識別情報と一致する（Ｂ）と判定された場合は、手順はステップ５０８に進む。また、受信した基地局識別情報が、自動割当ての対象でない登録された基地局識別情報と一致する（Ｃ）と判定された場合は、手順はステップ５２０（図６Ｂ）に進む。自動割当ての対象でない登録された基地局識別情報には、例えば、従来の方法で管理者によって手動で登録された基地局識別情報が含まれる。
【００６４】
ステップ５０８において、プロセッサ２０２（エリア決定部２０３２）は、受信した登録要求に含まれているＩＰアドレスのサブネットのアドレス（ネットワーク部およびサブネット部）が自動呼出しエリア割当ての対象かどうかを判定する。自動呼出しエリア割当ての対象となるＩＰアドレスのサブネットのアドレスは、構内交換機２０に予め登録され記憶部２０４に保存されている。ＩＰアドレスのサブネットのアドレスが自動呼出しエリア割当ての対象でないと判定された場合は、手順はステップ５３０に進む。一方、ＩＰアドレスのサブネットのアドレスが自動呼出しエリア割当ての対象であると判定された場合は、手順はステップ５１２に進む。
【００６５】
ステップ５３０において、プロセッサ２０２（エリア決定部２０３２）は、基地局装置（３９０）に対して、登録要求を拒否するメッセージを送信し返す。それによって、例えば、携帯端末の利用が禁止されている領域にある部分ネットワークに基地局装置（３９０）が誤って接続された場合に、禁止領域での携帯端末の利用を防止することができる。その後、手順は図６Ａおよび６Ｂのルーチンを出る。
【００６６】
ステップ５１２において、プロセッサ２０２（エリア決定部２０３２）は、基地局装置（３９０）のＩＰアドレスのサブネットのアドレスが基地局データ・テーブル内の既に登録済みの基地局装置のＩＰアドレスのサブネットのアドレスと一致するかどうかを判定する。ここで、登録済みの基地局装置とは、呼出しエリアが既に割当てられている基地局装置である。ＩＰアドレスのサブネットのアドレスが既に登録済みの基地局装置のＩＰアドレスのものと一致すると判定された場合は、手順はステップ５１４に進む。ＩＰアドレスのサブネットのアドレスが登録済みの基地局装置のＩＰアドレスのものと一致しないと判定された場合は、手順はステップ５１６に進む。
【００６７】
ステップ５１４において、プロセッサ２０２（エリア決定部２０３２）は、既に登録されている呼出しエリア内の基地局装置の数が最大閾値未満かどうかを判定する。最大閾値の数は、例えば３２であってもよい。登録されている呼出しエリア内の基地局装置の数が最大閾値未満でない、即ち最大閾値以上であると判定された場合は、手順はステップ５１６に進む。登録されている呼出しエリア内の基地局の数が最大閾値未満であると判定された場合は、手順はステップ５１８に進む。
【００６８】
ステップ５１６において、プロセッサ２０２（エリア決定部２０３２）は、未使用の呼出しエリア番号を基地局装置（３９０）に割当てる。それによって、部分ネットワーク（５７）に接続された基地局装置（３９０）に、別の部分ネットワークに接続される基地局装置、即ち、異なるサブネットのアドレスを含むＩＰアドレスを有する他の基地局装置の呼出しエリア番号が誤って割当てられることを、防止できる。また、それによって、部分ネットワーク（５８）に接続された基地局装置（３９０）に、呼出しエリア（６８）における基地局装置の上限数を超えて同じ呼出しエリア番号が割当てられることが、防止される。
【００６９】
ステップ５１８において、プロセッサ２０２（エリア決定部２０３２）は、同じサブネットのアドレスを含むＩＰアドレスを有する他の基地局装置の呼出しエリア番号を基地局装置（３９０）に割当てる。それによって、新しい呼出しエリア番号の資源が、他の基地局装置のＩＰアドレスと同じサブネットのアドレスを含むＩＰアドレスを有する基地局装置（３９０）に無駄に割当てられて、呼出しエリア番号の資源が不足することが、防止できる。
【００７０】
図６Ｂを参照すると、ステップ５２０において、プロセッサ２０２（エリア決定部２０３２）は、割当てられた呼出しエリア番号を基地局装置（３９０）に送信する。ここで、基地局装置が従来の方法で管理者によって手動で登録されたものである場合には、手動で割当てられて基地局データ・テーブルに予め保存された呼び出しエリア番号が送信される。この送信に応答して、基地局装置（３９０）は、呼出しエリア番号を受信して自己の呼出しエリア番号として設定し、自己の基地局データを構内交換機２０に設定するよう求める設定要求を構内交換機２０のエリア割当て部２２に送信する。
【００７１】
ステップ５４０において、プロセッサ２０２（またはその基地局データ設定部２０３４）は、基地局装置（３９０）から基地局データの設定要求を受信する。次いで、プロセッサ２０２（基地局データ設定部２０３４）は、基地局装置（３９０）に関する受信した基地局データ、例えば、基地局装置３９０に割当てた呼出しエリア番号およびＩＰアドレス等の固有の情報を、記憶部２０４の基地局データ・テーブル（図８）に保存する。
【００７２】
その後、プロセッサ２０２（基地局データ設定部２０３４）は、基地局装置（３９０）が部分ネットワーク５６〜５８から分離されたことが検出された場合、基地局データ・テーブル（図８）から基地局装置（３９０）の基地局データを削除して設定前の状態に戻す。
【００７３】
以上説明した通り、実施形態によれば、構内交換機において、親機または無線基地局に呼出しエリアを自動的に割当てることによって、親機の呼出しエリア番号等の情報を誤って登録することが防止される。例えば、親機の数が既に上限数に達している呼出しエリア番号が別の親機に誤って割当てることが防止できる。また、或る設置場所の親機で使用されている呼出しエリア番号が、異なる設置場所で使用される親機に誤って割当てられることが防止できる。それによって、本来の呼出しエリアでの子機への着信が不可能になる事態を防止することができ、また、誤った呼出しエリアでの不必要なトラフィック増大が生じる事態を防止することができる。
【００７４】
また、実施形態によれば、基地局が設置されていない領域へ可搬な基地局を持って行ってその場所にある部分ネットワークに接続するだけで、携帯端末が使用できるようになる。しかも、そのために、設置場所に関して事前に基地局の設定が事前に行われなくてよいので、新しい基地局の設置について利便性が高い。また、実施形態によれば、部分ネットワークのＩＰアドレスとの関係で呼出しエリア識別情報が決定されるので、新しい基地局に対して必ずしも新しい呼出しエリアを設定せずに済み、従って基地局の管理および保守が容易になる。
【００７５】
ここで挙げた全ての例および条件的表現は、発明者が技術促進に貢献した発明および概念を読者が理解するのを助けるためのものであり、ここで具体的に挙げたそのような例および条件に限定することなく解釈され、また、明細書におけるそのような例の編成は本発明の優劣を示すこととは関係ない、と理解される。本発明の実施形態を詳細に説明したが、本発明の精神および範囲から逸脱することなく、それに対して種々の変更、置換および変形を施すことができる、と理解される。
【００７６】
以上の実施例を含む実施形態に関して、さらに以下の付記を開示する。
（付記１）呼出しエリアを識別するエリア識別情報の割当て要求を親機から受信すると、記憶部に記憶された、他の親機に割当てられた、アドレスとエリア識別情報とを関連付けた情報と、受信した前記要求を送信した親機のアドレスとに基づいて、前記要求を送信した親機のアドレスと相関性のあるアドレスと関連付けて前記記憶部に記憶されたエリア識別情報を、前記要求を送信した親機に割当てる処理を、コンピュータに実行させるための制御プログラム。
（付記２）前記要求を送信した親機のアドレスと相関性のあるアドレスが前記記憶部に記憶されていない場合、別のエリア識別情報を、前記要求を送信した親機に割当てる処理を前記コンピュータに実行させることを特徴とする、付記１に記載の制御プログラム。
（付記３）前記要求を送信した親機のアドレスと相関性のあるアドレスと関連付けて前記記憶部に記憶されたエリア識別情報に関連して登録された親機の数が閾値に達していた場合、別のエリア識別情報を、前記要求を送信した親機に割当てる処理を前記コンピュータに実行させることを特徴とする、付記１または２に記載の制御プログラム。
（付記４）前記相関性は、前記要求を送信した親機のアドレスのネットワーク部およびサブネット部との一致性であることを特徴とする、付記１乃至３のいずれかに記載の制御プログラム。
（付記５）呼出しエリアを識別するエリア識別情報の割当て要求を親機から受信する第１の処理部と、
記憶部に記憶された、他の親機に割当てられた、アドレスとエリア識別情報とを関連付けた情報と、受信した前記要求を送信した親機のアドレスとに基づいて、前記要求を送信した親機のアドレスと相関性のあるアドレスと関連付けて前記記憶部に記憶されたエリア識別情報を、前記要求を送信した親機に割当てる第２の処理部と、
を含む、制御装置。
（付記６）呼出しエリアを識別するエリア識別情報の割当て要求を親機から受信すると、記憶部に記憶された、他の親機に割当てられた、アドレスとエリア識別情報とを関連付けた情報と、受信した前記要求を送信した親機のアドレスとに基づいて、前記要求を送信した親機のアドレスと相関性のあるアドレスと関連付けて前記記憶部に記憶されたエリア識別情報を、前記要求を送信した親機に割当てる処理を、コンピュータが実行する制御方法。
【符号の説明】
【００７７】
１  ネットワーク
３、５４〜５８  部分ネットワーク
２０  構内交換機
２０２  プロセッサ
２２  エリア割当て部
３２２、３２４、３２６、３６２、３６６、３９０  基地局装置
６４、６６、６７、６８、７０  呼出しエリア
【図１】
2015188182.tif 000003
【図２】
2015188182.tif 000004
【図３】
2015188182.tif 000005
【図４】
2015188182.tif 000006
【図５】
2015188182.tif 000007
【図６Ａ】
2015188182.tif 000008
【図６Ｂ】
2015188182.tif 000009
【図７】
2015188182.tif 000010
【図８】
2015188182.tif 000011